(57)【要約】【課題】ノイズを確認信号や起動信号として誤認識しにくい通信装置を提供する。【解決手段】データを受信する側の通信機は、相手側の通信機に対してデータの送信を開始させる起動信号およびデータを受信したことを通知する確認信号を相手側の通信機に送信する信号送信手段を有する。一方、データを送信する側の通信機は、起動信号および確認信号を一定周期でサンプリングして識別する信号処理手段を有する。信号送信手段は、２値を１回反転させた形の波形を持ち時間軸方向の長さがそれぞれ異なる３種類の伝送符号「０」、「１」、「Ｓ」のうち、時間軸方向の長さが最も長い伝送符号「Ｓ」を２個配列した後に、時間軸方向の長さが２番目に長い伝送符号「１」の１個分よりも時間軸方向に長くなる２個以上の伝送符号の組み合わせを付加して、起動信号および確認信号の各々を生成している。【選択図】図１
2007201835.tif 000002
【特許請求の範囲】
【請求項１】
伝送路を通してデータ通信を行う一対の通信機を備え、データを受信する側の通信機は、相手側の通信機に対してデータの送信を開始させる起動信号およびデータを受信したことを通知する確認信号を相手側の通信機に送信する信号送信手段を有し、データを送信する側の通信機は、起動信号および確認信号を一定周期でサンプリングして識別する信号処理手段を有し、信号送信手段は、２値を１回反転させた形の波形を持ち時間軸方向の長さがそれぞれ異なる３種類の伝送符号のうち、時間軸方向の長さが最も長い伝送符号を２個配列した後に、時間軸方向の長さが２番目に長い伝送符号の１個分よりも時間軸方向に長くなる２個以上の伝送符号の組み合わせを付加して起動信号および確認信号の各々を生成していることを特徴とする通信装置。
【請求項２】
前記信号送信手段は、前記伝送符号を全種類組み合わせて前記起動信号および前記確認信号の各々を生成していることを特徴とする請求項１記載の通信装置。
【請求項３】
前記信号送信手段は、２値を１回反転させた形の波形を持ち前記伝送符号のうちで時間軸方向の長さが最も長い伝送符号よりも時間軸方向に長い特殊符号を作成し、当該特殊符号を、伝送符号のうち時間軸方向の長さが最も長い伝送符号を２個配列した後に付加する伝送符号として用いて前記起動信号および前記確認信号の各々を生成していることを特徴とする請求項１または請求項２に記載の通信装置。
【請求項４】
前記各通信機はそれぞれ２極の電極を有し、両通信機における少なくとも一方の電極は、それぞれ人体の異なる部位に接触し人体において互いの間に存在する部分に前記伝送路を形成することを特徴とする請求項１ないし請求項３のいずれか１項に記載の通信装置。
【発明の詳細な説明】
【技術分野】
【０００１】
本発明は、伝送路を通してデータ通信を行う一対の通信機を備えた通信装置に関するものである。
【背景技術】
【０００２】
従来から、この種の通信装置として、対象となるデータを複数個のデータパケットに変換し、これら複数個のデータパケットを通信機から通信機に順次送信するものが知られている。
【０００３】
データパケットとしては、２値を１回反転させた形の波形を持ち時間軸方向の長さがそれぞれ異なる３種類の伝送符号を用いて構成されるものがあり、この種のデータパケットは、具体的には、２種類の伝送符号「０，１」の配列からデータ部分が形成され当該データ部分の前後各々に他の伝送符号「Ｓ」が１個ずつ付加された形式となる（図３参照）。これら３種類の伝送符号は、「０」の時間軸方向の長さがＴ、「１」の時間軸方向の長さが２Ｔ、「Ｓ」の時間軸方向の長さが３Ｔに設定されている（図２参照）。
【０００４】
ところで、上述したような通信装置において、データを受信する側の通信機が、データを正常に受信したことを通知する確認信号（ＡＣＫ信号）を相手側の通信機に返信する機能を有したものが知られている（たとえば特許文献１参照）。さらに、各通信機が相手側の通信機を起動するための起動信号を送信する機能を有した通信装置もある。この通信装置では、相手側の通信機に対して起動信号を送信することによりデータ通信を開始させることができる。
【０００５】
確認信号や起動信号においては、データパケットと区別されるように、データパケットには用いることのない「ＳＳ」という伝送符号の配列を採用することが多い。さらに確認信号と起動信号とを区別できるように、確認信号においては図８（ａ）に示すように「ＳＳ」の後に伝送符号「０」が付加された「ＳＳ０」の形式を採用し、起動信号においては図８（ｂ）に示すように「ＳＳ」の後に伝送符号「１」が付加された「ＳＳ１」の形式を採用する。
【０００６】
そして、通信機は、データパケットや起動信号や確認信号の受信時に、受信したデータパケットや起動信号や確認信号を一定周期でサンプリングし、各サンプリングごとに２値を判別して伝送符号の配列を識別する。したがって、信号の時間軸方向の長さが長いほどサンプリング回数が多くなるのでノイズとの区別がつきやすく、逆に、信号の時間軸方向の長さが短いほどサンプリング回数が少なくなるのでノイズとの区別がつきにくい。
【特許文献１】特開平６−２３３３５３号公報（第３頁）
【発明の開示】
【発明が解決しようとする課題】
【０００７】
しかしながら、上述した従来例においては、確認信号や起動信号の時間軸方向の長さが比較的短い（確認信号では７Ｔ、起動信号では８Ｔ）ので、伝送路等からノイズが混入した際に、通信機が当該ノイズを確認信号や起動信号として誤認識する可能性が高くなる。すなわち、通信装置の環境によっては、ノイズ対策が不十分となることがある。
【０００８】
本発明は上記事由に鑑みて為されたものであって、ノイズを確認信号や起動信号として誤認識しにくい通信装置を提供することを目的とする。
【課題を解決するための手段】
【０００９】
請求項１の発明では、伝送路を通してデータ通信を行う一対の通信機を備え、データを受信する側の通信機は、相手側の通信機に対してデータの送信を開始させる起動信号およびデータを受信したことを通知する確認信号を相手側の通信機に送信する信号送信手段を有し、データを送信する側の通信機は、起動信号および確認信号を一定周期でサンプリングして識別する信号処理手段を有し、信号送信手段は、２値を１回反転させた形の波形を持ち時間軸方向の長さがそれぞれ異なる３種類の伝送符号のうち、時間軸方向の長さが最も長い伝送符号を２個配列した後に、時間軸方向の長さが２番目に長い伝送符号の１個分よりも時間軸方向に長くなる２個以上の伝送符号の組み合わせを付加して起動信号および確認信号の各々を生成していることを特徴とする。
【００１０】
この構成によれば、信号送信手段は、３種類の伝送符号のうち、時間軸方向の長さが最も長い伝送符号を２個配列した後に、時間軸方向の長さが２番目に長い伝送符号の１個分よりも時間軸方向に長くなる２個以上の伝送符号の組み合わせを付加して起動信号および確認信号の各々を生成しているので、従来例に比べて起動信号および確認信号の時間軸方向の長さがそれぞれ長くなる。したがって、伝送路等からノイズが混入した際に、通信機が当該ノイズを起動信号や確認信号として誤認識しにくくなる。
【００１１】
請求項２の発明は、請求項１の発明において、前記信号送信手段が、前記伝送符号を全種類組み合わせて前記起動信号および前記確認信号の各々を生成していることを特徴とする。
【００１２】
仮に、起動信号および確認信号が各々２種類の伝送符号のみで構成されていると、通信機が前記２種類のうち一方の伝送符号と時間軸方向の長さが同じノイズを繰り返し受ける環境にあれば、前記２種類のうちの他方の伝送符号と時間軸方向の長さが同じノイズを受けた場合に、これらのノイズを起動信号や確認信号として誤認識する可能性がある。これに対して請求項２の構成によれば、起動信号および確認信号がそれぞれ３種類の伝送符号を全種類組み合わせて成るから、通信機が、３種類のうち１種類の伝送符号と時間軸方向の長さが同じノイズを繰り返し受ける環境にあり、他の１種類の伝送符号と時間軸方向の長さが同じノイズを受けたとしても、これらのノイズを起動信号や確認信号として誤認識することはない。
【００１３】
請求項３の発明は、請求項１または請求項２の発明において、前記信号送信手段が、２値を１回反転させた形の波形を持ち前記伝送符号のうちで時間軸方向の長さが最も長い伝送符号よりも時間軸方向に長い特殊符号を作成し、当該特殊符号を、伝送符号のうち時間軸方向の長さが最も長い伝送符号を２個配列した後に付加する伝送符号として用いて前記起動信号および前記確認信号の各々を生成していることを特徴とする。
【００１４】
仮に、起動信号および確認信号を構成する３種類の伝送符号において時間軸方向の長さの差が比較的小さいと、通信機が、３種類の伝送符号のうちで時間軸方向の長さが２番目に長い伝送符号と時間軸方向の長さが同じノイズを繰り返し受ける環境にある場合に、このノイズを時間軸方向の長さが最も長い伝送符号や最も短い伝送符号としても誤認識することがあり、これにより、ノイズを起動信号や確認信号として誤認識する可能性がある。これに対して請求項３の構成によれば、起動信号および確認信号が伝送符号のうち時間軸方向の長さが最も長い伝送符号よりも時間軸方向に長い特殊符号を用いて構成されるから、通信機が、３種類の伝送符号のうちで時間軸方向の長さが２番目に長い伝送符号と時間軸方向の長さが同じノイズを繰り返し受ける環境にあったとしても、このノイズを特殊信号として誤認識することはなく、これにより、ノイズを起動信号や確認信号として誤認識することはない。
【００１５】
請求項４の発明は、請求項１ないし請求項３のいずれかの発明において、前記各通信機がそれぞれ２極の電極を有し、両通信機における少なくとも一方の電極が、それぞれ人体の異なる部位に接触し人体において互いの間に存在する部分に前記伝送路を形成することを特徴とする。
【００１６】
この構成によれば、人体の一部を伝送路に含むという伝送路からノイズが混入しやすい構成であるにもかかわらず、請求項１ないし請求項３のいずれかの構成によって、通信機が前記ノイズを起動信号や確認信号として誤認識しにくいという利点がある。
【発明の効果】
【００１７】
本発明は、信号送信手段が、３種類の伝送符号のうち、時間軸方向の長さが最も長い伝送符号を２個配列した後に、時間軸方向の長さが２番目に長い伝送符号の１個分よりも時間軸方向に長くなる２個以上の伝送符号の組み合わせを付加して起動信号および確認信号の各々を生成しているので、従来例に比べて起動信号および確認信号の時間軸方向の長さがそれぞれ長くなる。したがって、伝送路等からノイズが混入した際に、通信機が当該ノイズを起動信号や確認信号として誤認識しにくくなるという利点がある。
【発明を実施するための最良の形態】
【００１８】
本実施形態の通信装置は伝送路を通してデータ通信を行う２台の通信機Ａ，Ｂを備えている。
【００１９】
通信機Ａと通信機Ｂとの間においては、対象となるデータを、図２に示すようにそれぞれ３種類の伝送符号「０」、「１」、「Ｓ」の配列からなる複数個のデータパケットに変換して伝送する。各データパケットはそれぞれ、図３に示すように伝送符号「０」と伝送符号「１」との組み合わせからなるデータ部分を有し、このデータ部分の前後にそれぞれ伝送符号「Ｓ」が付加されることにより、「Ｓ…（データ）…Ｓ」の形式に構成される通信信号である。伝送符号は、ＨレベルとＬレベルとの２値を１回反転させた形の波形を持つ電気信号であって、各種類ごとに時間軸方向の長さがそれぞれ異なるものである。上記３種類の伝送符号は、図２に示すように、「０」の時間軸方向の長さがＴ、「１」の時間軸方向の長さが２Ｔ、「Ｓ」の時間軸方向の長さが３Ｔに設定されている。
【００２０】
ところで、本実施形態では通信装置として、人体の一部を通信機Ａと通信機Ｂとの間の伝送路に利用して近距離の通信を行う所謂人体通信に用いるものを例示する。
【００２１】
具体的に説明すると、本実施形態の通信装置は、図４に示すように、一方の通信機Ａが人体Ｈの腕に装着され、他方の通信機Ｂが所定位置に設置される。人体Ｈの腕に装着される通信機Ａはたとえば腕時計形に構成される。
【００２２】
各通信機Ａ，Ｂは２極の電極をそれぞれ有し、通信機Ａの第１の電極Ｐ１ａと通信機Ｂの第１の電極Ｐ１ｂとの間、および通信機Ａの第２の電極Ｐ２ａと通信機Ｂの第２の電極Ｐ２ｂとの間にそれぞれ電気的な経路を形成することにより、両通信機Ａ，Ｂ間に伝送路を形成する。通信機Ａには、腕の長手方向に沿って２極の電極Ｐ１ａ，Ｐ２ａがいずれも人体Ｈに接触するように設けられる。指先側に設けられる電極が第１の電極Ｐ１ａであって、肩側に設けられる電極が第２の電極Ｐ２ａである。
【００２３】
この通信装置では、通信機Ａを装着した人間が通信機Ｂの第２の電極Ｐ２ｂに対向する位置に立って、通信機Ａを装着した腕の指先で通信機Ｂの第１の電極Ｐ１ｂに触れることにより、通信機Ａと通信機Ｂとの間に伝送路が形成され、両通信機Ａ，Ｂ間においてデータ通信が可能になる。すなわち、人体Ｈにおける通信機Ａの第１の電極Ｐ１ａから指先までの部分によって両通信機Ａ，Ｂの第１の電極Ｐ１ａ，Ｐ１ｂ同士が電気的に接続され、人体Ｈにおける通信機Ａの第２の電極Ｐ２ａから足元までの部分、およびこの部分と通信機Ｂの第２の電極Ｐ２ｂとの静電結合によって両通信機Ａ，Ｂの第２の電極Ｐ２ａ，Ｐ２ｂ同士が電気的に接続されることになる。本実施形態の通信装置は、このようにして形成される伝送路を通すことによって、一対の通信機Ａ，Ｂ間で双方向に通信信号を伝送することができる。
【００２４】
以下に、各通信機Ａ，Ｂの構成について説明する。
【００２５】
通信機Ａは、図５（ａ）に示すように、通信信号を送信する送信部１と、通信信号を受信する受信部２と、送信部１および受信部２に接続されたマイコン（マイクロコンピュータ）３と、マイコンに接続された記憶部５および電池１３を備えている。送信部１は、交流信号を生成するとともに、送信する通信信号に基づいて前記交流信号を変調して変調信号とし、この変調信号に対応する電圧を２極の電極Ｐ１ａ，Ｐ２ａ間に印加することによって、通信信号を送信する。受信部２は、２極の電極Ｐ１ａ，Ｐ２ａ間の電圧を検出し、受信した変調信号を復調して通信信号を取り出すことによって、通信信号を受信する。マイコン３は、受信した通信信号を処理する信号処理部（信号処理手段）６と、受信部２の電源をオンオフする受信部電源制御部７と、送信部１の電源をオンオフする送信部電源制御部８と、信号処理部６を動作させるタイミングを制御する信号処理部制御部９とを備えている。信号処理部６は、受信した通信信号を一定周期でサンプリングするサンプリング部１０と、各サンプリングごとにＨレベルとＬレベルとを判別する符号判断部１１と、伝送符号の配列を判別しデータパケットを得る通信パケット判断部１２とで構成されている。
【００２６】
一方、通信機Ｂは、図５（ｂ）に示すように、通信機Ａ同様に送信部１と受信部２とマイコン３と記憶部５とを備えている。ただし、通信機Ｂでは、商用電源から電力供給を受ける電源部１３’が電池１３の代わりに設けられている。さらに、通信機Ｂは、他の処理装置を接続するためのインタフェース１４を有しており、他の処理装置との間でもデータ通信可能に構成される。
【００２７】
上述したように構成される通信装置は、たとえば人体側の通信機Ａの記憶部５に予め記憶された情報を通信機Ｂで読み取り通信機Ｂの記憶部５内の情報と照合するように動作させることによって、施設への入退時のＩＤ認証用に使用される。すなわち、人体に通信機Ａを装着しておけば、従来のように磁気カードやＩＣカードを用いることなく、ＩＤ認証を行うことができる。また、人体の健康状態を監視するシステムにも上記通信装置を使用することができ、この場合には、通信機Ａに人体の健康状態（脈拍など）を検出するセンサを設けて人体の状態を記憶部５に一旦記憶し、通信機Ａの記憶部５内の情報を通信機Ｂで定期的に読み出すことにより、通信機Ｂあるいは通信機Ｂに接続される他の処理装置において通信機Ａを装着した人体の健康状態を監視する。
【００２８】
また、各通信機Ａ，Ｂは、相手側の通信機Ａ，Ｂに対してデータ通信を開始させる起動信号、およびデータを受信したことを通知する確認信号（ＡＣＫ信号）を相手側の通信機Ａ，Ｂに通信信号として送信する信号送信手段（図示せず）をそれぞれ有する。起動信号および確認信号は、伝送するデータパケットよりも時間軸方向にそれぞれ短い通信信号である。さらに、各通信機Ａ，Ｂは、データパケットの送信時に相手側の通信機Ａ，Ｂから確認信号を受信すると相手側の通信機Ａ，Ｂへのデータパケットの伝送が伝送エラーなく正常に為されたと判断する機能をそれぞれ有する。要するに、データパケットを送信する側の通信機Ａ，Ｂは、相手側の通信機Ａ，Ｂから起動信号を受けてデータパケットの送信を開始し、データパケットの送信後には、相手側の通信機Ａ，Ｂからの確認信号を受信した場合に、データパケットが正常に伝送されたものと判断し、一方、相手側の通信機Ａ，Ｂからの確認信号を受信しなかった場合に、データパケットが正常に伝送されなかったものと判断する。
【００２９】
ここにおいて、各通信機Ａ，Ｂを起動させる構成としては、一方の通信機Ａ，Ｂが起動信号を常時送信し、両通信機Ａ，Ｂ間に伝送路が形成されると自動的にデータ通信が開始する構成としてもよいが、本実施形態では、人体に装着される通信機Ａにおいては電池を電源として用いているので、通信機Ａの待機電力を低減するように、通信機Ｂを起動するための起動スイッチ（図示せず）を通信機Ｂに設け、この起動スイッチが押操作されたときに通信機Ｂから通信機Ａに起動信号が送信される構成としてある。この構成では、通信機Ｂの待機電力も低減し、通信装置の省電力化につながる。なお、起動スイッチとしては、通信機Ｂの第１の電極Ｐ１ｂに人体が触れた際にオンとなるように、電極Ｐ１ｂの基台に組み込まれたタクトスイッチやタッチセンサなどを用いてもよい。
【００３０】
確認信号や起動信号に関しては、基本的な構成は従来例として説明したものと同様である。つまり確認信号や起動信号においては、データパケットと区別するために、データパケットには用いることのない「ＳＳ」という伝送符号の配列を採用する。さらに確認信号と起動信号とを区別できるように、確認信号においては図８（ａ）に示すように「ＳＳ」の後に伝送符号「０」が付加された「ＳＳ０」の形式を採用し、起動信号においては図８（ｂ）に示すように「ＳＳ」の後に伝送符号「１」が付加された「ＳＳ１」の形式を採用する。そして、データを送信する側の通信機Ａ，Ｂは、信号処理部６によって、受信した通信信号を一定周期でサンプリングし、各サンプリングごとにＨレベルとＬレベルとを判別することにより、伝送符号の配列を判別して確認信号や起動信号を識別する。
【００３１】
ところで、本実施形態のように人体通信に用いる通信装置においては、金属導線を伝送路とする通信装置に比べて伝送路（人体の一部）からノイズが混入しやすいので、各通信機Ａ，Ｂにおいて、伝送路から混入したノイズを起動信号や確認信号として誤認識する可能性が高くなる。そこで、本実施形態では、起動信号および確認信号を以下に説明する構成とすることにより、ノイズが起動信号や確認信号として誤認識されることを防止している。
【００３２】
すなわち、起動信号や確認信号を構成する各伝送符号はそれぞれ２値（ＨレベルとＬレベル）で表されるから、信号処理部６が１回のサンプリングについてノイズが起動信号や確認信号に一致する確率は１／２になる。かつ、信号処理部６が起動信号や確認信号を受信する期間内にサンプリングを複数回行う場合には、全てのサンプリング結果においてノイズが起動信号や確認信号に一致してはじめてノイズが起動信号や確認信号として誤認識されることになる。したがって、両通信機Ａ，Ｂからは何の信号も送信されていない状態でランダムな波形を持つノイズが各通信機Ａ，Ｂでそれぞれ受信される場合を想定すると、信号処理部６が時間Ｔの間にｎ回サンプリングする場合（つまり、Ｔ／ｎの周期でサンプリングする場合）に、ノイズが時間軸方向の長さＴの伝送符号「０」として誤認識される確率は１／（２ｎ）となる。同様に、ノイズが長さｍＴの信号として誤認識される確率は１／（２ｍｎ）となる。したがって、ノイズが長さ２Ｔの伝送符号「１」として誤認識される確率は１／（２２ｎ）となり、ノイズが長さ３Ｔの伝送符号「Ｓ」として誤認識される確率は１／（２３ｎ）となる。このように、時間軸方向に長い信号ほど、通信機においてノイズがこの信号として誤認識される確率は小さくなる。
【００３３】
そこで、本実施形態の通信装置では、信号送信手段が、起動信号および確認信号の各々の時間軸方向の長さが従来例よりも長くなるように、伝送符号を組み合わせて起動信号および確認信号の各々を生成している。具体的に説明すると、確認信号については、上述した「ＳＳ０」の信号に伝送符号「１」を付加して図１（ａ）に示すように「ＳＳ０１」で表される時間軸方向の長さが９Ｔの信号とし、起動信号については、上述した「ＳＳ１」の信号に伝送符号「０」を付加して図１（ｂ）に示すように「ＳＳ１０」で表される時間軸方向の長さが９Ｔの信号としてある。これにより、通信機Ａ，Ｂにおいて、Ｔ／ｎの周期でサンプリングする場合に、ノイズを起動信号あるいは確認信号として誤認識する確率は１／（２９ｎ）となる。ここで、本実施形態では上述の時間軸方向の長さＴを３６０μｓとし、サンプリングの周期を１８０μｓとしてある。つまり、Ｔ／ｎ＝３６０／ｎ＝１８０からｎは２になるので、ノイズが起動信号あるいは確認信号として誤認識される確率は１／２６２１４４となり、ノイズが起動信号あるいは確認信号として誤認識されることはほとんどない。
【００３４】
なお、ここでは起動信号と確認信号とを時間軸方向に同じ長さ（９Ｔ）としてあるので、ノイズが起動信号として誤認識される確率と、ノイズが確認信号として誤認識される確率とが同じになり、これにより、起動信号と確認信号とが同等の耐ノイズ性を有することになる。
【００３５】
また、従来例よりも起動信号および確認信号の各々を時間軸方向に長くするためには、信号送信手段は、３種類の伝送符号のうち、時間軸方向の長さが最も長い伝送符号「Ｓ」を２個配列した後に、時間軸方向の長さが２番目に長い伝送符号「１」の１個分よりも時間軸方向に長くなる２個以上の伝送符号の組み合わせを付加して起動信号および確認信号の各々を生成していればよいので、上述したように起動信号を「ＳＳ１０」、確認信号を「ＳＳ０１」とする例に限るものではなく、たとえば起動信号あるいは確認信号を「ＳＳＳＳＳ０００００」としてもよい。
【００３６】
しかし、このように２種類の伝送符号「０」、「Ｓ」のみで起動信号あるいは確認信号が構成されていると、通信機Ａ，Ｂが前記２種類の伝送符号のうち一方の伝送符号と時間軸方向に同じ長さのノイズを繰り返し受ける環境にあれば、前記２種類のうちの他方の伝送符号と時間軸方向に同じ長さのノイズを受けた場合に、これらのノイズを起動信号や確認信号として誤認識する可能性がある。すなわち、通信機Ａ，Ｂは、仮に図６に示すように伝送符号「０」と時間軸方向に同じ長さ（Ｔ）のノイズを繰り返し受ける環境においては、このノイズを「０００……０００」という信号として誤認識することになる。そして、このような環境下で通信機Ａ，Ｂが伝送符号「Ｓ」と時間軸方向に同じ長さ（３Ｔ）のノイズを複数回連続して受けると、通信機Ａ，Ｂにおいてはこれらのノイズを信号「ＳＳＳＳＳ０００００」として誤認識してしまう可能性がある。そこで、確認信号と起動信号との各々を、上述した「ＳＳ０１」や「ＳＳ１０」のように３種類の伝送符号（０、１、Ｓ）を全種類含む構成とすることが望ましい。
【００３７】
このように、起動信号および確認信号がそれぞれ３種類の伝送符号を含む構成とすれば、通信機Ａ，Ｂは、起動信号および確認信号に含まれる３種類の伝送符号のうち、１種類の伝送符号に相当するノイズを繰り返し受ける環境にあっても、残り２種類の伝送符号によって、ノイズと起動信号または確認信号とを区別することができる。したがって、通信機Ａ，Ｂが、３種類の伝送符号のうち、１種類の伝送符号に相当するノイズを繰り返し受ける環境にあり、かつ他の１種類の伝送符号に相当するノイズを受けることがあっても、残り１種類の伝送符号によってノイズと確認信号または起動信号とを区別することができ、ノイズを確認信号や起動信号として誤認識しにくくなるという利点がある。要するに、通信装置における耐ノイズ性が向上する。
【００３８】
さらにまた、信号送信手段が上述した３種類の伝送符号のうち時間軸方向に最も長い（ここでは長さ３Ｔ）伝送符号「Ｓ」よりも時間軸方向に長い（ここでは長さ３０Ｔ）特殊符号「Ｎ」を作成し、この特殊符号を伝送符号として用いて起動信号および確認信号の各々を生成する構成としていもよい。すなわち、たとえば確認信号においては、図７に示すように「ＳＳ０Ｎ」で表される時間軸方向の長さ３７Ｔの信号とする。
【００３９】
仮に、伝送符号「Ｎ」の代わりに伝送符号「１」が用いられていると、確認信号や起動信号を構成する全ての伝送符号（０、１、Ｓ）は時間軸方向の長さが近くなるから、通信機Ａ，Ｂは、たとえば伝送符号「１」と時間軸方向に同じ長さ（２Ｔ）のノイズを繰り返し受ける場合に、このノイズを伝送符号「１」として誤認識するだけではなく、時間軸方向の長さが近い伝送符号「０」や伝送符号「Ｓ」として誤認識することもあり、これによりノイズを起動信号や確認信号として誤認識する可能性がある。これに対して、上述したように特殊符号「Ｎ」を確認信号や起動信号に含む構成では、たとえ通信機Ａ，Ｂが伝送符号「１」と時間軸方向に同じ長さ（２Ｔ）のノイズを受け、このノイズを伝送符号「１」として誤認識するだけではなく、時間軸方向の長さが近い伝送符号「０」や伝送符号「Ｓ」として誤認識することがあっても、このノイズをノイズとは時間軸方向の長さが大きく異なる特殊符号「Ｎ」として誤認識することはなく、結果的に、ノイズを起動信号や確認信号として誤認識することはないという利点がある。要するに、通信装置における耐ノイズ性がさらに向上することになる。
【００４０】
なお、上記実施形態では、一方の通信機Ａが人体Ｈの腕に装着され、他方の通信機Ｂが所定位置に設置される通信装置を例示したが、この構成に限らず、通信機Ｂも通信機Ａ同様に人体Ｈの腕に装着される構成とし、両通信機Ａ，Ｂをそれぞれ別の人体Ｈの腕に装着して、通信機Ａを装着した人間と通信機Ｂを装着した人間とが対向する位置に立ち、通信機Ａを装着した腕の指先と通信機Ｂを装着した腕の指先とを触れ合わせることにより、一対の通信機Ａ，Ｂ間でデータ通信できるようにした通信装置に本発明を適用してもよい。また、本発明を人体通信用以外の通信装置に適用してもよい。
【図面の簡単な説明】
【００４１】
【図１】（ａ）は本発明の実施形態に用いる確認信号を示し、（ｂ）は同じく起動信号を示す波形図である。
【図２】同上に用いる伝送符号を示す波形図である。
【図３】同上に用いるデータパケットを示す波形図である。
【図４】同上の通信装置の使用例を示す説明図である。
【図５】同上の各通信機の構成を示すブロック図である。
【図６】同上の説明に用いるノイズの波形図である。
【図７】同上に用いる確認信号の他の例を示す波形図である。
【図８】（ａ）は従来例に用いる確認信号を示し、（ｂ）は同じく起動信号を示す波形図である。
【符号の説明】
【００４２】
６  信号処理部（信号処理手段）
Ａ，Ｂ  通信機
Ｈ  人体
Ｐ１ａ，Ｐ１ｂ，Ｐ２ａ，Ｐ２ｂ  電極
【図１】
2007201835.tif 000003
【図２】
2007201835.tif 000004
【図３】
2007201835.tif 000005
【図４】
2007201835.tif 000006
【図５】
2007201835.tif 000007
【図６】
2007201835.tif 000008
【図７】
2007201835.tif 000009
【図８】
2007201835.tif 000010